(57)【要約】【課題】本発明は、本来用途における表示を妨げることなく、管理情報を表示する表示装置の提供を目的とする。【解決手段】本発明に係る表示装置１００は、本来用途と副用途とを有し、本来用途では当該本来用途に従った本来表示を行い、副用途では所定の管理ネットワーク１２５に接続され管理ネットワーク１２５から得た管理情報を表示する表示装置１００であって、管理ネットワーク１２５から管理情報を受信する受信部１２４と、本来表示および管理情報の表示を行う表示部１２１と、管理情報に対応する優先度を取得する優先度取得部１１１と、本来表示中に受信部１２４で管理情報を受信したとき、優先度に基づいて、管理情報を時間的に遅らせて表示する制御を行う制御部１０１と、を備える。【選択図】図１
2014123872.tif 000002
【特許請求の範囲】
【請求項１】
本来用途と副用途とを有し、前記本来用途では当該本来用途に従った本来表示を行い、前記副用途では所定の管理ネットワークに接続され当該管理ネットワークから得た管理情報を表示する表示装置であって、
前記管理ネットワークから前記管理情報を受信する受信部と、
前記本来表示および前記管理情報の表示を行う表示部と、
前記管理情報に対応する優先度を取得する優先度取得部と、
前記本来表示中に前記受信部で前記管理情報を受信したとき、前記優先度に基づいて、当該管理情報を時間的に遅らせて表示する制御を行う制御部と、
を備える、
表示装置。
【請求項２】
前記管理ネットワークは、ホームネットワークであり、
前記管理情報は、前記ホームネットワーク上に接続される機器から送信される情報であることを特徴とする、
請求項１に記載の表示装置。
【請求項３】
前記管理ネットワークは広域ネットワークを含み、
前記受信部は、前記広域ネットワークを経由して前記管理情報を受信することを特徴とする、
請求項１または２に記載の表示装置。
【請求項４】
前記表示装置はテレビジョンであり、
放送番組を受信するチューナー部と、
前記放送番組のＣＭ区間を検出するＣＭ区間検出部と、
をさらに備え、
前記優先度は複数の段階であり、
前記管理情報に設定された前記優先度が最高の場合は、前記本来表示中であっても当該管理情報を表示し、
前記管理情報に設定された前記優先度が最高でない場合は、前記ＣＭ区間が検出されたときに当該情報を表示することを特徴とする、
請求項１〜３のいずれかに記載の表示装置。
【請求項５】
前記放送番組を録画するストリーム蓄積部をさらに備え、
前記管理情報に設定された前記優先度が最高の場合は、前記本来表示中であっても当該管理情報を表示し、
前記管理情報に設定された前記優先度が最高でない場合は、録画した前記放送番組の再生が終了または停止したときに当該情報を表示することを特徴とする、
請求項４に記載の表示装置。
【請求項６】
前記表示装置は、携帯情報端末であり、インターネットを経由して前記管理ネットワークから前記管理情報を受信することを特徴とする、
請求項１〜３のいずれかに記載の表示装置。
【請求項７】
前記表示装置は、カーナビゲーション装置であり、インターネットを経由して前記管理ネットワークから前記管理情報を受信することを特徴とする、
請求項１〜３のいずれかに記載の表示装置。
【請求項８】
電源がオンまたはオフされたときに、前記表示部に未表示の前記管理情報を、前記表示部に表示することを特徴とする、
請求項１〜７のいずれかに記載の表示装置。
【請求項９】
前記優先度取得部は、前記管理情報に対応する優先度を記憶する優先度記憶部を備え、
前記優先度取得部は、前記優先度記憶部から前記優先度を取得することを特徴とする、
請求項１〜８のいずれかに記載の表示装置。
【請求項１０】
前記管理情報には、当該管理情報に対応する前記優先度が含まれており、
前記優先度取得部は、前記管理情報に含まれる前記優先度を取得することを特徴とする、
請求項１〜８のいずれかに記載の表示装置。
【請求項１１】
外部操作によって前記優先度記憶部に前記優先度を記憶可能であることを特徴とする、
請求項９に記載の表示装置。
【請求項１２】
外部操作によって前記管理情報を表示する時間の長さを設定可能であることを特徴とする、
請求項１〜１１のいずれかに記載の表示装置。
【請求項１３】
前記本来表示を消して前記管理情報を表示するか、前記本来表示にオーバーレイして前記管理情報を表示するか、前記本来表示を縮小して空いたスペースに前記管理情報を表示するかを設定可能であることを特徴とする、
請求項１〜１２のいずれかに記載の表示装置。
【請求項１４】
前記優先度取得部は、前記チューナー部において受信する情報のうち一部の情報に対応する優先度を取得し、前記本来表示中に前記チューナー部で前記一部の情報を受信したとき、前記制御部は、前記優先度に基づいて、前記一部の情報を時間的に遅らせて表示する制御を行うことを特徴とする、
請求項４または５に記載の表示装置。
【請求項１５】
表示装置に表示を行わせる表示方法であって、
前記表示装置は、本来用途と副用途とを有し、前記本来用途では当該本来用途に従った本来表示を行い、前記副用途では所定の管理ネットワークから得た管理情報を表示し、
前記管理ネットワークから前記管理情報を受信するステップと、
前記管理情報に対応した優先度を取得するステップと、
前記本来表示中に前記管理情報を受信したとき、前記優先度に基づいて、当該管理情報を時間的に遅らせて前記表示装置に表示を行わせるステップと、
を備える、
表示方法。
【発明の詳細な説明】
【技術分野】
【０００１】
本発明は表示装置および表示方法に関し、特に、本来用途と副用途とを有し、本来用途では本来用途に従った本来表示を行い、副用途では所定の管理ネットワークに接続され当該管理ネットワークから得た管理情報を表示する表示装置に関する。
【背景技術】
【０００２】
近年、ＨＥＭＳ（Ｈｏｍｅ  Ｅｎｅｒｇｙ  Ｍａｎａｇｅｍｅｎｔ  Ｓｙｓｔｅｍ）と呼ばれる、ＩＴ（Ｉｎｆｏｒｍａｔｉｏｎ  Ｔｅｃｈｎｏｌｏｇｙ）技術や、センサー技術を用いて家庭の電力消費を管理することにより省エネルギーを実現するシステムが注目されている。ＨＥＭＳは家庭の主要な電力消費機器をネットワークで接続し、使用者は電力の消費状況をリアルタイムに確認することができる。また、ＨＥＭＳにより電力消費を自動的に制御して、例えば建物全体としてエネルギー消費を削減する取り組みが行われている。
【０００３】
ＨＥＭＳでは、家電製品のネットワーク化することにより、ネットワークを介して家電製品から得られる情報（以下では、ＨＥＭＳ情報と記述する）を使用者に通知することができる。ＨＥＭＳ情報とは、例えば、家電製品の動作状況や電力消費状況などの情報である。例えば、家庭内での電量消費状況を表示装置に表示する、いわゆる「電力の見える化」は、ＨＥＭＳの主要な技術である。ＨＥＭＳ情報を表示する表示装置としては、家庭内の表示装置として最も一般的なテレビを用いる場合が多い。
【０００４】
テレビの様な放送受信表示装置の場合、表示画面は一般的に１画面、即ち１枚の液晶パネル等で構成されているため、例えば番組視聴中にＨＥＭＳ情報を表示するには、番組表示にオーバーレイして表示するか、画面を分割して表示するか、あるいは番組表示を中断して表示することになる。結果として、ＨＥＭＳ情報を表示した際に使用者の番組視聴を妨げてしまうという問題があった。
【０００５】
テレビの様な表示装置の場合、一般的に家庭のリビングに置かれ、放送番組の視聴やブルーレイレコーダー等の映像録画再生装置からのコンテンツ視聴を本来用途としている。よって、ＨＥＭＳ情報の表示が、番組視聴中およびコンテンツ視聴中に頻繁に割り込むことになり、使用者の快適な番組視聴を妨げることがある。
【０００６】
また、ネットワークに接続される家電製品が増えると、表示装置に表示すべきＨＥＭＳ情報の量が多くなる。特に、いわゆるスマートハウスの様に、建物全体の電気機器をＨＥＭＳに組み込んだ場合、表示すべきＨＥＭＳ情報は、家電製品からの情報に加えて、太陽光発電装置、蓄電池、電気自動車からの情報など多岐に渡る。結果として、ＨＥＭＳ情報の表示が番組視聴中により頻繁に割り込んでくることになり、使用者の快適な番組視聴を大きく損なってしまうことが予想される。
【０００７】
なお、テレビに表示すべき情報としては、上述のＨＥＭＳ情報に限らず、テレビ放送内で送られてくる緊急警報や緊急放送、有料放送の課金情報などがある。
【０００８】
テレビにＨＥＭＳ情報を表示する場合とは異なるが、複数の画面を有する携帯情報端末において、複数の情報を表示する場合、情報毎の優先度を記憶しておき、優先度に応じたレイアウトで複数の画面に情報を表示する技術が知られている（特許文献１参照）。
【先行技術文献】
【特許文献】
【０００９】
【特許文献１】特開２００９−２１３１４９号公報
【発明の概要】
【発明が解決しようとする課題】
【００１０】
しかしながら、特許文献１に記載の技術は、あくまでレイアウトの変更によって情報の視認性を高めるものであり、複数の画面を有する表示装置においては効果的であるが、テレビの様に１画面で構成されている表示装置に適用すると、画面全体を使った番組表示ができなくなり、使用者の快適な視聴を妨げることになるため好ましくない。
【００１１】
本発明は以上のような課題を解決するためになされたものであり、本来用途における表示を妨げることなく、管理情報を表示する表示装置、および管理情報を表示装置に表示させる表示方法の提供を目的とする。
【課題を解決するための手段】
【００１２】
本発明に係る表示装置は、本来用途と副用途とを有し、本来用途では当該本来用途に従った本来表示を行い、副用途では所定の管理ネットワークに接続され当該管理ネットワークから得た管理情報を表示する表示装置であって、管理ネットワークから管理情報を受信する受信部と、本来表示および管理情報の表示を行う表示部と、管理情報に対応する優先度を取得する優先度取得部と、本来表示中に受信部で管理情報を受信したとき、優先度に基づいて、当該管理情報を時間的に遅らせて表示する制御を行う制御部と、を備える。
【００１３】
また、本発明に係る表示方法は、表示装置に表示を行わせる表示方法であって、表示装置は、本来用途と副用途とを有し、本来用途では当該本来用途に従った本来表示を行い、副用途では所定の管理ネットワークから得た管理情報を表示し、管理ネットワークから管理情報を受信するステップと、管理情報に対応した優先度を取得するステップと、本来表示中に管理情報を受信したとき、優先度に基づいて、当該管理情報を時間的に遅らせて表示装置に表示を行わせるステップと、を備える。
【発明の効果】
【００１４】
本発明に係る表示装置によれば、受信部が、本来表示中に管理情報を管理ネットワークから受信した場合であっても、受信した管理情報に設定された優先度が低い場合は、制御部が、例えば、本来表示が比較的重要度の低い表示となってから、この管理情報を表示部に表示するように制御を行う。よって優先度の低い管理情報の表示が、使用者の本来表示の視聴を妨げることを防止することが可能である。よって、本発明に係る表示装置は、優先度の低い管理情報の表示と、使用者の快適な視聴を両立させることを可能とするものである。
【００１５】
本発明に係る表示方法によれば、受信した管理情報に設定された優先度が低い場合には、この管理情報を時間的に遅らせて、表示装置の本来表示を妨げないタイミングで、表示装置に表示させる。よって、本発明に係る表示方法により管理情報を表示させることで、使用者の利便性を高めることが可能である。
【図面の簡単な説明】
【００１６】
【図１】実施の形態１に係る表示装置のブロック図である。
【図２】実施の形態１に係る表示装置の動作を説明する図である。
【図３】実施の形態３〜５に係る管理ネットワーク等の模式図である。
【図４】実施の形態４に係る表示装置のブロック図である。
【発明を実施するための形態】
【００１７】
＜実施の形態１＞
＜構成＞
図１に、本実施の形態における表示装置１００のブロック図を示す。本実施の形態において、表示装置１００はテレビジョンであり、表示装置１００の本来用途は放送番組の表示である。
【００１８】
本実施の形態における表示装置１００は、外部のアンテナ１０７からアンテナ信号１０８を受信して放送番組を表示部１２１に表示する。アンテナ１０７が受信する信号は、放送局からの放送信号である。また、表示装置１００は副用途として、所定の管理ネットワーク１２５と接続され、管理ネットワーク１２５を介して取得した管理情報を表示部１２１に表示可能である。管理ネットワーク１２５および管理情報については後述する。
【００１９】
表示装置１００は、アンテナ信号１０８を受信するチューナー部１０９と、チューナー部１０９に備わる信号復調部１１０で復調された復調データをデコードするトランスポートストリームデコーダ部１１２と、デコードされたデータの入出力先を制御するストリーム制御部１１４と、デコードされたデータの映像信号と音声信号を分離・変換するＡＶデコーダ部１１５を備える。
【００２０】
さらに、表示装置１００は、ＡＶデコーダ部１１５から受ける映像信号に所定の映像を重畳するグラフィックス重畳部１１７と、グラフィックス重畳部１１７から出力される映像信号を制御する映像制御部１１９と、映像制御部１１９から出力される映像信号を表示する表示部１２１を備える。ここで、表示部１２１は、例えば、液晶表示パネルである。また、プラズマディスプレイパネル、有機ＥＬディスプレイであってもよい。
【００２１】
さらに、表示装置１００は、ＡＶデコーダ部１１５から受ける音声信号に所定の効果音等を重畳する効果音重畳部１１８と、効果音重畳部１１８から出力される音声信号を制御する音声制御部１２０と、音声制御部１２０から出力される音声信号を出力する音声出力部１２２を備える。
【００２２】
また、ストリーム制御部１１４には、放送番組を蓄積可能なストリーム蓄積部１１３が接続されており、放送番組のデータ蓄積することが可能である。ストリーム蓄積部１１３は、例えばハードディスクドライブ等の記憶領域を備える。
【００２３】
また、表示装置１００は、操作入力受信部１０５を備える。操作入力受信部は、操作入力装置１０６からの信号を受けて、その信号に対応した動作を制御部１０１に通知する。操作入力装置１０６は、例えばリモコンである。
【００２４】
また、表示装置１００は、所定の管理ネットワーク１２５に接続可能なネットワークインターフェースとしての受信部１２４と、受信部１２４において受信した管理情報を一時的に記憶するＲＡＭ１０３およびＲＯＭ１０２と、管理情報に対応する優先度を取得する優先度取得部１１１をさらに備える。また、優先度取得部１１１には、管理情報の優先度が記憶される優先度記憶部１０４が備わる。
【００２５】
さらに、表示装置１００は、上述した各部の動作を制御する制御部１０１を備える。制御部１０１は例えば、ＣＰＵにより実現される。制御部１０１は、ＣＭ区間検出部１１６の検出結果とＣＭ区間の長さなどから、放送番組終了を判断することが可能である。また、制御部１０１は、表示装置１００全体の制御を行っており、表示装置１００の電源オン、オフを検出することが可能である。
【００２６】
なお、本実施の形態において、上述した所定の管理ネットワーク１２５とは、ホームネットワークであり、例えば家庭内ＬＡＮである。管理ネットワーク１２５には、ＨＥＭＳ対応機器１２６が接続されている。なお、管理ネットワーク１２５に接続されるＨＥＭＳ対応機器１２６は複数でも良い。また、ホームネットワークに接続可能な機器であれば、必ずしもＨＥＭＳ対応機器１２６でなくてもよい。
【００２７】
ＨＥＭＳ対応機器１２６は、例えば、炊飯器、ＩＨ調理器、電気給湯システム、冷蔵庫、エアコン、太陽光発電装置、太陽光発電装置で発電した電気を蓄える蓄電池などである。
【００２８】
上述した管理情報とは、管理ネットワーク１２５に接続された機器、例えばＨＥＭＳ対応機器１２６から送信される情報である。例えば、ＨＥＭＳ対応機器１２６が炊飯器の場合、管理情報は、ご飯の炊き上がりを知らせる動作情報である。また、管理情報は、ＨＥＭＳ対応機器１２６の動作状況の他に、電力消費状況等であってもよい。
【００２９】
なお、本実施の形態における表示装置１００は、例えば、表示部１２１とその他の部分が分離しており、その間をケーブル等で接続する構成であってもよい。
【００３０】
＜動作＞
本実施の形態における表示装置１００（即ちテレビジョン）の本来用途は、放送番組もしくは録画した放送番組の視聴用途であり、本来表示は放送番組もしくは録画した放送番組の表示である。また、本実施の形態における表示装置１００の副用途は、上述した管理情報の表示である。
【００３１】
まず、本来用途に関する動作について説明する。放送中の放送番組を視聴する場合、アンテナ１０７にて受信したアンテナ信号１０８は、チューナー部１０９に送られ、チューナー部１０９に備わる信号復調部１１０にてトランスポートストリームに復調される。アンテナ信号１０８や復調されたトランスポートストリームに緊急警報が含まれている場合、チューナー部１０９もしくは信号復調部１１０は、緊急警報を速やかに制御部１０１に通知する。
【００３２】
信号復調部１１０において復調されたトランスポートストリームは、トランスポートストリームデコーダ部１１２に送られ、必要な情報のみを抽出したパーシャルトランスポートストリームにデコードされた後、ストリーム制御部１１４に送られる。また、放送中の番組ではなく、ストリーム蓄積部１１３に蓄積されたパーシャルトランスポートストリームを視聴する際も同様にストリーム制御部１１４に送られる。
【００３３】
ストリーム制御部１１４に送られたパーシャルトランスポートストリームは、ＡＶデコーダ部１１５に送られ、映像信号と音声信号に分離、変換される。ＡＶデコーダ部１１５は、放送番組のＣＭ区間の検出を行うＣＭ区間検出部１１６を備えており、パーシャルトランスポートストリームどの区間がＣＭであるかを判断する。
【００３４】
映像信号には、グラフィックス重畳部において、たとえば字幕などの文字や画像が重畳され、映像制御部１１９を介して、映像表示部１２１に出力される。
【００３５】
音声信号には、効果音重畳部１１８において、番組音声に効果音等が重畳され、音声制御部１２０を介して、音声出力部１２２に出力される。
【００３６】
次に副用途に関する動作について説明する。まず、受信部１２４は、管理ネットワーク１２５を経由して、管理ネットワーク１２５に接続されたＨＥＭＳ対応機器１２６等から管理情報を受信する。
【００３７】
次に、制御部１０１は、受信部１２４が管理情報を受信したことを検出すると、受信した管理情報の種類を判別し、優先度取得部１１１に、受信した管理情報に対応する優先度の取得を命令する。優先度取得部１１１は、優先度記憶部１０４に予め記憶してある優先度を取得する。すると、制御部１０１は、優先度取得部１１１が取得した優先度を、受信した管理情報に設定する。
【００３８】
また、受信した管理情報にその管理情報の優先度が含まれている場合は、優先度取得部１１１は、管理情報に含まれている優先度を取得してもよい。なお、本実施の形態では優先度は、高、低の２段階であるとして説明を行う。
【００３９】
管理情報に設定された優先度が高である場合、管理情報は速やかにテキストデータ等に変換され、グラフィックス重畳部１１７において映像信号に重畳され、映像制御部１１９に送られる。映像制御部１１９に送られた映像信号は、放送番組の映像に管理情報の表示がオーバーレイされた形で表示部１２１にリアルタイムに表示される。
【００４０】
同時に、管理情報は速やかにＰＣＭ（Ｐｕｌｓｅ  Ｃｏｄｅ  Ｍｏｄｕｌａｔｉｏｎ）データ等に変換され、効果音重畳部１１８において番組音声に重畳され、音声制御部１２０に送られる。音声制御部１２０に送られた音声信号は、番組音声に効果音が重畳した形で音声出力部１２２にリアルタイムに出力される。
【００４１】
次に、管理情報に設定された優先度が低い場合の動作を説明する。管理情報を受信したときにＣＭ中である場合は、制御部１０１は、管理情報をグラフィックス重畳部１１７および効果音重畳部１１８に出力して、ＣＭの映像、音声に重畳して表示部１２１および音声出力部１２２に出力する。
【００４２】
一方、管理情報を受信したときに本来表示中、即ち放送番組を表示中である場合は、制御部１０１は、受信した管理情報を一旦ＲＡＭ１０３又はＲＯＭ１０２に蓄積する。ＣＭ区間検出部１１６が放送番組のＣＭ区間を検出すると、制御部１０１は、ＲＡＭ１０３又はＲＯＭ１０２に蓄積した管理情報を、グラフィックス重畳部１１７および効果音重畳部１１８に出力して、ＣＭの映像、音声に重畳して表示部１２１および音声出力部１２２に出力する。つまり、優先度が低い管理情報はＣＭ放送中に表示される。
【００４３】
なお、表示装置１００は、ＣＭ区間中だけでなく、放送番組終了時に優先度が低い管理情報を表示するとしてもよい。また、表示装置１００の電源がオンまたはオフされた際に、ＲＡＭ１０３又はＲＯＭ１０２に蓄積されたままになっている、未表示の管理情報を表示するとしてもよい。
【００４４】
使用者は、操作入力装置１０６（例えばリモコン）を操作することにより、管理情報に対応する優先度を予め優先度記憶部１０４に記憶しておくことができる。優先度の設定は、例えば放送受信表示装置１００に設定すべき表示項目を表示し、使用者は、操作入力装置１０６のボタンを操作することで、優先度の情報を、操作入力受信部１０５を経由して制御部１０１に送信する。制御部１０１は、その情報を優先度記憶部１０４に記憶する。なお、表示装置１００の出荷段階で、予め優先度を優先度記憶部１０４に記憶させておいても良い。
【００４５】
なお、本実施の形態における表示装置１００において、アンテナ１０７にて受信したアンテナ信号１０８に含まれる情報のうちの一部の情報にも優先度を設定することが可能である。この一部の情報とは、例えば、緊急警報や有料放送の課金情報などである。以下の説明では、表示装置１００の出荷段階では、優先度記憶部１０４には、緊急警報および有料放送の課金情報に対応する優先度として、最も高い優先度が記憶されているとする。
【００４６】
例えば、信号復調部１１０が、災害情報等の緊急警報を検出した場合、優先度が高い管理情報と同様、リアルタイムで表示部１２１に表示する。
【００４７】
以上の様に、本実施の形態における表示装置１００は、受信した管理情報の優先度が高いときにのみ、リアルタイムでこの管理情報を表示し、受信した管理情報の優先度が低いときは、この管理情報を表示する時間を遅らせて、ＣＭ区間、放送番組終了時、もしくは電源オン又はオフ時に表示する。よって、本実施の形態の表示装置１００は、使用者の番組視聴を妨げることなく、使用者に優先度の低い管理情報を知らせることが可能である。
【００４８】
次に、ストリーム蓄積部１１３に蓄積されたパーシャルトランスポートストリームを再生中の動作、つまり録画した放送番組を再生中の動作について説明する。録画番組の再生中に受信した管理情報の優先度が高い場合、管理情報は、番組映像にオーバーレイされてリアルタイムに表示される。
【００４９】
一方、受信した管理情報の優先度が低い場合、管理情報は一旦ＲＡＭ１０３又はＲＯＭ１０２に蓄積される。ストリーム制御部１１４が、パーシャルトランスポートストリームの終端、即ち録画番組の終端を検出すると、制御部１０１は、ＲＡＭ１０３又はＲＯＭ１０２に蓄積されている管理情報を、グラフィックス重畳部１１７および効果音重畳部１１８に出力する。つまり、優先度が低い管理情報は録画番組が終了した時に表示される。また、使用者が録画番組の再生を停止又は一時停止する操作を行った時に、優先度が低い管理情報を表示しても良い。
【００５０】
以上の様に、本実施の形態における表示装置１００は、受信した管理情報の優先度が高いときにのみ、リアルタイムで管理情報を表示し、受信した管理情報の優先度が低いときは、管理情報を表示する時間を遅らせて、録画番組終了時、もしくは録画番組の再生停止時に表示する。よって、本実施の形態の表示装置１００は、使用者の録画番組視聴を妨げることなく、使用者に優先度の低い管理情報を知らせることが可能である。
【００５１】
図２を用いて、本実施の形態における表示装置１００の放送番組表示中の動作例を説明する。なお、優先度記憶部１０４には、緊急警報に対応して、高い優先度が記憶され、また、ＨＥＭＳ対応機器１２６としての炊飯器から送信される炊き上がり情報に対応して、低い優先度が記憶されているものとする。
【００５２】
図２に示す様に、放送番組は、第１の番組、第２の番組の順序で放送されるとする。９時から１０時まで第１の番組が放送され、１０時から第２の番組が放送される。第１の番組は第１部、第２部、第３部から構成され、各部の間および第３部の後には、５分間のＣＭが放送される。
【００５３】
表示装置１００は、９時２７分に地震発生を知らせる緊急警報、９時４０分に炊飯器からご飯の炊き上がりを知らせる管理情報を受信するとする。
【００５４】
表示装置１００は、９時２７分までは、表示部１２１全体に第１の番組を表示する制御部１０１は、９時２７分に、信号復調部１１０が地震発生を知らせる緊急警報を受信したことを検知すると、優先度取得部１１１は、受信した緊急警報に対応する、高い優先度を優先度記憶部１０４から取得する。制御部１０１は、優先度取得部１１１が取得した、高い優先度を受信した緊急警報に設定する。もしくは、緊急警報の緊急性を鑑みて、優先度記憶部１０４を参照することなく、高い優先度を設定する。９時２７分は第１の番組の第２部を表示中であるが、緊急警報には高い優先度が設定されているため、制御部１０１は、本来表示、即ち放送番組の表示にオーバーレイして、リアルタイムで緊急警報表示２１２を表示部１２１に表示させる。緊急警報の表示時間の長さは、例えば１分間である。
【００５５】
一定の時間が経過して緊急警報の表示が終了すると、表示装置１００は、再び表示部１２１全体に第１の番組を表示する。さらに時間が経過すると、受信部１２４は、９時４０分に炊飯器から炊き上がりを知らせる管理情報を受信する。すると、優先度取得部１１１は、受信した管理情報に対応する、低い優先度を優先度記憶部１０４から取得する。制御部１０１は、優先度取得部１１１が取得した低い優先度を、管理情報に設定する。
【００５６】
制御部１０１は優先度記憶部１０４を参照して、受信した管理情報に低い優先度を設定する。次に、制御部１０１は、この管理情報をＲＡＭ１０３又はＲＯＭ１０２に蓄積し、第３部の放送中は表示部１２１表示させない。
【００５７】
時間が経過して、９時５５分に第３部の放送が終了して、ＣＭが始まると、ＣＭ区間検出部１１６は、ＣＭ区間を検出して制御部１０１に通知する。制御部１０１は、先ほどＲＡＭ１０３又はＲＯＭ１０２に蓄積した管理情報を管理情報表示２１４として、ＣＭにオーバーレイして表示部１２１に表示する。管理情報の表示時間の長さは、例えば３０秒である。管理情報の表示が終了すると、再び表示部１２１全体に放送番組が表示される。
【００５８】
また、本実施の形態における表示装置１００において、優先度記憶部１０４は、管理情報の優先度とともに、その管理情報を表示部１２１に表示する時間の長さを記憶することが可能である。使用者は、操作入力装置１０６を操作することによって、管理情報を表示部１２１に表示する時間の長さを、秒単位で、優先度記憶部１０４に記憶させることができる。
【００５９】
なお、本実施の形態では、管理情報を、本来表示即ち放送番組にオーバーレイして表示したが、本来表示を消して管理情報を表示してもよく、また、本来表示を縮小して空いたスペースに管理情報を表示してもよい。
【００６０】
本実施の形態における表示装置１００において、上述した管理情報の表示レイアウト（即ち、オーバーレイして管理情報を表示するか、本来表示を消して管理情報を表示するか、本来表示を縮小して空いたスペースに管理情報を表示するか）を使用者が選択することが可能である。例えば、使用者は、操作入力装置１０６を操作することによって、どのレイアウトで管理情報を表示するかを予め設定しておくことが可能である。
【００６１】
なお、本実施の形態では、操作入力装置１０６は、例えばリモコンであるとしたが、操作入力装置１０６は、携帯情報端末であってもよい。使用者は、携帯電話端末の画面上で優先度の設定を行い、赤外線やＢｌｕｅｔｏｏｔｈ（登録商標）などにより優先度の設定情報を表示装置１００に送信する。
【００６２】
なお、本実施の形態において、表示装置１００はテレビジョンであるとしたが、本実施の形態におけるテレビジョンと同じ構成を備えたＰＣであってもよい。
【００６３】
＜効果＞
本実施の形態における表示装置１００は、本来用途と副用途とを有し、本来用途では当該本来用途に従った本来表示を行い、副用途では所定の管理ネットワーク１２５に接続され管理ネットワーク１２５から得た管理情報を表示する表示装置１００であって、管理ネットワーク１２５から管理情報を受信する受信部１２４と、本来表示および管理情報の表示を行う表示部１２１と、管理情報に対応する優先度を取得する優先度取得部１１１と、本来表示中に受信部１２４で管理情報を受信したとき、優先度に基づいて、当該管理情報を時間的に遅らせて表示する制御を行う制御部１０１とを備える。
【００６４】
従って、受信部１２４が、本来表示中に管理情報を管理ネットワーク１２５から受信した場合であっても、管理情報に設定された優先度が低い場合は、制御部１０１が、本来表示が比較的重要度の低い表示となってから、この管理情報を表示部１２１に表示するように制御を行う。よって優先度の低い管理情報の表示が、使用者の本来表示の視聴を妨げることを防止することが可能である。よって、本実施の形態における表示装置１００は、優先度の低い管理情報の表示と、使用者の快適な視聴を両立させることを可能とするものである。
【００６５】
また、本実施の形態における表示装置１００において、管理ネットワーク１２５は、ホームネットワークであり、管理情報は、ホームネットワーク上に接続される機器（例えばＨＥＭＳ対応機器１２６）から送信される情報であることを特徴とする。
【００６６】
従って、ホームネットワーク上に接続される機器から送信される情報は、緊急性を有しない情報が多いため、優先度の低い管理情報の提示と使用者の快適な視聴を両立させることを可能とする本実施の形態における表示装置１００を、特に効果的に機能させることができる。
【００６７】
また、本実施の形態における表示装置１００はテレビジョンであり、放送番組を受信するチューナー部１０９と、放送番組のＣＭ区間を検出するＣＭ区間検出部１１６とをさらに備え、優先度は複数の段階であり、管理情報に設定された前記優先度が最高の場合は、本来表示中であっても当該管理情報を表示し、管理情報に設定された優先度が最高でない場合は、ＣＭ区間が検出されたときに当該情報を表示することを特徴とする。
【００６８】
従って、放送番組を表示中に、受信部１２４が管理情報を管理ネットワーク１２５から受信した場合であっても、受信した管理情報の優先度が最高でない場合、即ち低い場合は、制御部１０１が、放送番組がＣＭ区間に入ってから、この管理情報を表示部１２１に表示するように制御を行うため、使用者の放送番組の視聴を妨げることがない。よって、本実施の形態における表示装置１００は、優先度の低い管理情報の提示と、使用者の快適な放送番組の視聴を両立させることを可能とするものである。
【００６９】
また、本実施の形態における表示装置１００は、放送番組を録画するストリーム蓄積部１１３をさらに備え、管理情報に設定された優先度が最高の場合は、本来表示中であっても当該管理情報を表示し、管理情報に設定された前記優先度が最高でない場合は、録画した放送番組の再生が終了または停止したときに当該情報を表示することを特徴とする。
【００７０】
従って、録画した放送番組を表示中に、受信部１２４が管理情報を管理ネットワーク１２５から受信した場合であっても、受信した管理情報の優先度が最高でない場合、即ち低い場合は、制御部１０１が、放送番組の再生が終了または停止してから、この管理情報を表示部１２１に表示するように制御を行うため、使用者の放送番組の視聴を妨げることがない。よって、本実施の形態における表示装置１００は、優先度の低い管理情報の提示と、使用者の快適な放送番組の視聴を両立させることを可能とするものである。
【００７１】
また、本実施の形態における表示装置は、電源がオンまたはオフされたときに、表示部１２１に未表示の管理情報を、表示部１２１に表示することを特徴とする。
【００７２】
従って、例えば、本来表示中に使用者が電源をオフした場合には、制御部１０１は、未表示の管理情報を表示してから電源をオフにする。このように制御を行うことによって、優先度が低い管理情報であっても確実に使用者に提示することが可能となり、利便性が向上する。
【００７３】
また、本実施の形態における表示装置１００において、優先度取得部１１１は、管理情報に対応する優先度を記憶する優先度記憶部１０４を備え、優先度取得部１１１は、優先度記憶部１０４から優先度を取得することを特徴とする。
【００７４】
従って、優先度記憶部１０４に予め管理情報に対応する優先度を記憶しておくことによって、管理情報を受信したときに、優先度取得部１１１は、受信した管理情報に対応する優先度を取得することが可能である。
【００７５】
また、本実施の形態における表示装置１００において、管理情報には、当該管理情報に対応する優先度が含まれており、優先度取得部１１１は、管理情報に含まれる優先度を取得することを特徴とする。
【００７６】
従って、受信した管理情報に対応する優先度が優先度記憶部１０４に記憶されていない場合であっても、管理情報に、当該管理情報に対応する優先度が含まれていることによって、優先度取得部１１１が優先度を取得することが可能である。よって、例えば、緊急性を有する管理情報をリアルタイムで表示部１２１に確実に表示することが可能となる。
【００７７】
また、本実施の形態における表示装置１００において、外部操作によって優先度記憶部１０４に優先度を記憶可能であることを特徴とする。
【００７８】
従って、使用者はリモコン等の操作入力装置１０６を用いて、優先度を優先度記憶部１０４に記憶させることができるため、使用者の生活状況等に応じて、優先度を変更することが可能となり、利便性が向上する。
【００７９】
また、本実施の形態における表示装置１００において、外部操作によって管理情報を表示する時間の長さを設定可能であることを特徴とする。
【００８０】
従って、使用者はリモコン等の操作入力装置１０６を用いて、管理情報を表示する時間の長さを設定することができるため、管理情報の種類別に表示時間の長さを変更することが可能となり、利便性が向上する。
【００８１】
また、本実施の形態における表示装置１００において、本来表示を消して管理情報を表示するか、本来表示にオーバーレイして管理情報を表示するか、本来表示を縮小して空いたスペースに管理情報を表示するかを設定可能であることを特徴とする。従って、管理情報の表示レイアウトを変更することが可能となり、利便性が向上する。
【００８２】
また、本実施の形態における表示装置１００において、優先度取得部１１１は、チューナー部１０９において受信する情報のうち一部の情報に対応する優先度を取得し、本来表示中にチューナー部１０９で一部の情報を受信したとき、制御部１０１は、優先度に基づいて、前記一部の情報を時間的に遅らせて表示する制御を行うことを特徴とする。
【００８３】
従って、管理情報のみならず、緊急警報や有料番組の課金情報といった、チューナー部１０９において受信する情報のうち一部の情報にも優先度を設定することが可能となるため、利便性がさらに向上する。
【００８４】
また、本実施の形態における表示方法は、表示装置１００に表示を行わせる表示方法であって、表示装置１００は、本来用途と副用途とを有し、本来用途では当該本来用途に従った本来表示を行い、副用途では所定の管理ネットワーク１２５から得た管理情報を表示し、管理ネットワーク１２５から管理情報を受信するステップと、管理情報に対応した優先度を取得するステップと、本来表示中に管理情報を受信したとき、優先度に基づいて、管理情報を時間的に遅らせて表示装置１００に表示を行わせるステップと、を備える。
【００８５】
従って、本実施の形態における表示方法によれば、受信した管理情報に設定された優先度が低い場合には、この管理情報を時間的に遅らせて、表示装置１００の本来表示を妨げないタイミングで、表示装置１００に表示させる。よって、本実施の形態における表示方法により管理情報を表示させることで、使用者の利便性を高めることが可能である。
【００８６】
＜実施の形態２＞
実施の形態１では、優先度を高または低の２段階としたが、本実施の形態では、優先度を１〜５の５段階とする。優先度は１が最も高く、５に向かって段階的に低くなるとする。なお、本実施の形態において、表示装置１００は実施の形態１と同じくテレビジョンであり、その構成は実施の形態１と同じため説明を省略する。
【００８７】
優先度を多段階に設定することにより、管理情報を表示するタイミングとして、優先度が１に設定された管理情報はリアルタイムに表示し、優先度が２に設定された管理情報はＣＭ区間中に表示し、優先度が３に設定された管理情報は番組終了時に表示し、優先度が４に設定された管理情報はコンテンツ再生終了時に表示し、優先度が５に設定された管理情報は電源オフ・オン時に表示する、といった多段階設定が可能になる。
【００８８】
なお、実施の形態１と同様、上述の管理情報は、緊急警報や有料番組の課金情報であってもよい。
【００８９】
ここで、優先度を上述の５段階とした場合の動作の一例を挙げる。以下では、管理情報は、ＨＥＭＳ対応機器１２６から送信されるＨＥＭＳ情報であるとする。ＨＥＭＳ情報の中で最も優先度が高いのは、ＨＥＭＳ対応機器の異常動作情報や故障情報など、安全性に係わる情報であるものとする。また、ＩＨ（Ｉｎｄｕｃｔｉｏｎ  Ｈｅａｔｉｎｇ）調理器からの鍋の炊きこぼれ情報や、電気給湯システムからの風呂湯の溢れ情報、冷蔵庫の扉開放情報、インターホンからの来客映像といった、ユーザーがすぐに対応する必要がある情報も、同様に表示優先度が高い。また、管理情報以外では、前述した緊急警報および視聴中の放送が有料放送となったことを知らせる課金情報も同様に優先度が最も高いものとする。これらの情報は、優先度を最高の１とし、表示部１２１にリアルタイム表示される。
【００９０】
一方で、例えば炊飯器からの炊き上がり情報やエアコンの運転モード変更情報は、ＣＭ区間中などに表示すれば用は足りるため、表示優先度は２とする。また、太陽光発電装置からの発電状況や蓄電池からの充電状況といった、ＨＥＭＳ対応機器からの定期的な報告や運転状況は例えば１時間に１回程度の頻度で把握できれば良い。従って、これらの情報の優先度は３または４とし、番組終了時、もしくはコンテンツ再生終了時に表示させるものとする。
【００９１】
さらに、太陽光発電装置からの当日の売電結果を知らせる情報や、エアコンからの省エネ運転による累積の節約電気量といった結果報告情報は、表示する頻度は更に低くて構わないので、優先度は５として電源オフまたはオンの時にのみ表示させるものとする。
【００９２】
なお、緊急警報に地震や津波に対する警報などが含まれる場合は、その目的と緊急性を鑑み、制御部１０１が緊急警報の通知を受け取った時点で、その優先度を強制的に最も高い１とする。このように、緊急警報は、操作入力装置１０６による優先度の設定の対象外としてもよい。
【００９３】
このように、優先度を多段階に設定可能とすることによって、管理情報の性質に応じて、管理情報を表示するタイミングを細かく設定することが可能となり、使用者の利便性がより向上する。
【００９４】
＜実施の形態３＞
本実施の形態では、管理ネットワークは、ホームネットワーク３１７と、ホームネットワーク３１７と接続された広域ネットワーク３１０から構成される（図３）。本実施の形態における表示装置１００は、例えば、住宅３０５に設置されており、ホームネットワーク３１７に接続されたＨＥＭＳ対応機器１２６等からの管理情報だけでなく、広域ネットワーク３１０を介した情報も管理情報として受信することができる。本実施の形態における表示装置１００が設置された住宅３０５のホームネットワーク３１７は、広域ネットワーク３１０を介して、他の住宅３０４のホームネットワークとも繋がっている。住宅３０５内に設置される表示装置１００は、例えば実施の形態１と同じくテレビジョンであり、管理情報を受信してからの動作は実施の形態１と同じであるため、構成、動作の説明を省略する。
【００９５】
各住宅３０４，３０５には、放送局３０１からの放送波３０２を受信するアンテナ１０７が備えられている。また、住宅３０５にも、住宅３０４と同様にホームネットワークが構築されている。
【００９６】
この様に、ホームネットワーク３１７が広域ネットワーク３１０に接続することで、実施の形態１で述べた様なホームネットワーク内での管理情報や放送局からの緊急警報だけでなく、地区単位で共有すべき情報や各家庭間でやり取りする情報も管理情報として受信することが可能となる。
【００９７】
例えば、広域ネットワーク内の地区を１つの町と仮定して考えると、広域ネットワーク３１０を介して受信する管理情報は、従来ならば町内会の回覧板で回していた様な情報や、町単位でエネルギーマネージメントを行っている場合のＨＥＭＳ情報、あるいは町内のみに通知する緊急警報が考えられる。
【００９８】
使用者は、上述した広域ネットワーク３１０を介して配信される管理情報に対応する優先度を予め優先度記憶部１０４に記憶させておく。実施の形態１と同様に、表示装置１００の制御部１０１は、優先度取得部１１１が優先度記憶部１０４から取得した優先度を、受信した管理情報に設定して、この優先度に応じて管理情報を表示部１２１に表示する時間を遅らせる制御を行う。
【００９９】
＜効果＞
本実施の形態における表示装置１００において、管理ネットワークは広域ネットワーク３１０を含み、受信部１２４は、広域ネットワーク３１０を経由して管理情報を受信することを特徴とする。
【０１００】
従って、本実施の形態における表示装置１００は、ホームネットワーク３１７からだけでなく、広域ネットワーク３１０からも管理情報を受信することが可能となるため、より多くの管理情報の受信が可能となり、さらに利便性が向上する。
【０１０１】
＜実施の形態４＞
＜構成＞
図３を用いて本実施の形態の概要について説明する。本実施の形態では、管理ネットワークはホームネットワーク３１７と、ホームネットワーク３１７と接続された広域ネットワーク３１０から構成される。本実施の形態における表示装置４００は、携帯情報端末である。受信部１２４は、広域ネットワーク３１０と接続されたインターネット３２０を経由して、例えば携帯電話用の基地局から無線通信により管理情報を受信する。ここで、管理情報とは、実施の形態１〜３において述べた情報であるとする。
【０１０２】
図４に、本実施の形態における表示装置４００のブロック図を示す。表示装置４００は、表示装置１００（図１）に対して、音声入力部４０９、音声入力部４０９からの音声信号を受信する音声入力受信部４１１、操作入力部４１２をさらに備える。また、表示装置４００における受信部１２４は、アンテナ４０１とＲＦトランシーバ部４０３を備える。また、表示装置４００において、アンテナ１０７は表示装置４００に内蔵される。本実施の形態における表示装置４００において、上述した以外の構成は表示装置１００と同じであるため、説明を省略する。なお、図４において点線で囲んだ範囲の機能ブロックは、１つのアプリケーションプロセッサ４０４にて実現することが可能である。
【０１０３】
＜動作＞
本実施の形態における表示装置４００は携帯情報端末であり、表示装置４００の本来用途は、実施の形態１で述べた放送番組の視聴用途と、例えば、通話用途であるとする。つまり、本来表示は、放送番組の表示と、通話画面の表示であるとする。なお、本来表示に、メール画面の表示やインターネット画面の表示などを含んでもよい。
【０１０４】
アンテナ４０１とＲＦトランシーバ部４０３を備える受信部１２４は、通話のための音声信号の送受信と、インターネット３２０に接続された基地局との無線通信を行う。使用者の声は、音声入力部４０９（例えばマイク）により入力され、音声入力受信部４１１を介して、制御部１０１にて変調等を行い、ＲＦトランシーバ部４０３を介してアンテナ４０１から送信される。また、通話相手の声は音声信号としてアンテナ４０１にて受信され、ＲＦトランシーバ部４０３を介して制御部１０１にて復調等を行い、音声出力部１２２（例えばスピーカ）から出力される。
【０１０５】
放送番組の受信は実施の形態１と同様、アンテナ１０７にて行われる。なお、アンテナ１０７が受信するアンテナ信号１０８は、ワンセグ放送の信号であってもよい。
【０１０６】
まず、使用者は、操作入力部４１２を操作することにより、実施の形態１と同様に、管理情報に対応した優先度を予め優先度記憶部１０４に記憶させておく。
【０１０７】
次に、受信部１２４が、インターネット３２０を経由して管理情報を受信すると、実施の形態１と同様に、優先度取得部１１１は、優先度記憶部１０４から管理情報に対応する優先度を取得する。次に、制御部１０１は、優先度取得部１１１が取得した優先度を、管理情報に設定する。
【０１０８】
放送番組表示中に管理情報を受信した場合の表示装置４００の動作は、実施の形態１と同じであるため、説明を省略する。なお、ＡＶデコーダ部１１５がＣＭ区間検出部１１６を備えない場合は、優先度の低い管理情報を番組終了時や表示装置４００の電源オン、オフ時に表示するとする。
【０１０９】
通話中に管理情報を受信した場合の表示装置４００の動作を説明する。受信した管理情報に設定された優先度が高い場合は、通話画面の表示にオーバーレイして、管理情報を表示する。また、管理情報の効果音も通話音声に重畳して出力する。
【０１１０】
一方、受信した管理情報に設定された優先度が低い場合は、制御部１０１は、管理情報を一旦ＲＡＭ１０３又はＲＯＭ１０２に蓄積する。制御部１０１は、通話の終了を検出すると、ＲＡＭ１０３又はＲＯＭ１０２に蓄積した管理情報を、表示部１２１に表示する。
【０１１１】
なお、アンテナ信号１０８に含まれる緊急警報等の情報の表示に関する動作は、実施の形態１と同様であるため、説明を省略する。
【０１１２】
以上のように、本実施の形態における表示装置４００は、放送番組の表示もしくは通話画面の表示といった本来表示中に、インターネット３２０を経由して、優先度の低い管理情報を受信した場合は、放送番組がＣＭ区間に入ったとき、又は通話が終了したときに、時間を遅らせて管理情報を表示する。よって、本来用途としての本来表示を妨げることなく、優先度の低い管理情報を表示することが可能なため、使用者の利便性を向上させることが可能である。
【０１１３】
また、使用者は、自宅外にいても携帯情報端末としての表示装置４００により、インターネット３２０を経由して自宅内のホームネットワークから送信されるＨＥＭＳ情報等の管理情報を受信して見ることができるため、便利である。
【０１１４】
＜効果＞
本実施の形態において、表示装置４００は、携帯情報端末であり、インターネット３２０を経由して管理ネットワークから管理情報を受信することを特徴とする。
【０１１５】
従って、本実施の形態における表示装置４００は、放送番組の表示もしくは通話画面の表示といった本来表示中に、インターネット３２０を経由して、優先度の低い管理情報を受信した場合は、放送番組がＣＭ区間に入ったとき、又は通話が終了したときに、時間を遅らせて管理情報を表示する。よって、本来用途としての本来表示を妨げることなく、優先度の低い管理情報を表示することが可能なため、使用者の利便性を向上させることが可能である。
【０１１６】
＜実施の形態５＞
＜構成＞
本実施の形態における管理ネットワークは、実施の形態４（図３）と同じであるため、説明を省略する。本実施の形態において、表示装置５００はカーナビゲーション装置である。本実施の形態における表示装置５００は、実施の形態４の表示装置４００と同様に、広域ネットワーク３１０と接続されたインターネット３２０を経由して、例えば携帯電話用の基地局から無線通信により管理情報を受信する。
【０１１７】
本実施の形態における表示装置５００は、表示装置４００（図４）に対して、地図情報を記憶する地図記憶部と、ＧＰＳ信号を取得するＧＰＳ信号取得部と、表示装置が設置された自動車の速度を検出する速度検出部とをさらに備えるとする。
【０１１８】
＜動作＞
本実施の形態における表示装置５００はカーナビゲーション装置であり、表示装置５００の本来用途は、地図表示により、設定された目的地まで使用者を案内することであり、本来表示は、案内表示である。
【０１１９】
まず、本来用途について説明する。使用者は、操作入力部４１２からカーナビゲーション装置に目的地を設定する。案内が開始されると、制御部１０１は、ＧＰＳ信号取得部が取得するＧＰＳ信号から現在地を算出し、地図記憶部に記憶された地図情報を参照しながら、表示部１２１に案内表示を表示する。また、案内に関する音声も音声出力部１２２から出力される。制御部１０１が、設定された目的地に着いたと判断すると、案内表示が終了する。なお、速度検出部の情報は、例えば、目的地に到着するまでの時間を予測して計算するときに利用される。
【０１２０】
次に、案内表示中にインターネット３２０を経由して、管理情報を受信した場合の動作について説明する。なお、管理情報を受信してから管理情報に優先度が設定されるまでの動作は実施の形態１と同じであるため、説明を省略する。受信した管理情報に設定された優先度が高い場合は、案内表示にオーバーレイして、管理情報を表示する。また、管理情報の効果音も案内音声に重畳して出力する。
【０１２１】
一方、受信した管理情報に設定された優先度が低い場合は、制御部１０１は、管理情報を一旦ＲＡＭ１０３又はＲＯＭ１０２に蓄積する。制御部１０１は、速度検出部が速度ゼロを検出すると、ＲＡＭ１０３又はＲＯＭ１０２に蓄積した管理情報を、表示部１２１に表示する。つまり、制御部１０１は、自動車が例えば信号待ちなどで停止するのを待って、管理情報を表示する。また、管理情報の優先度が低い場合は、案内表示が終了したときに、管理情報を表示するとしてもよい。
【０１２２】
なお、アンテナ信号１０８に含まれる緊急警報等の情報の表示に関する動作は、実施の形態１と同様であるため、説明を省略する。
【０１２３】
＜効果＞
本実施の形態における表示装置５００は、カーナビゲーション装置であり、インターネット３２０を経由して管理ネットワークから管理情報を受信することを特徴とする。
【０１２４】
従って、カーナビゲーション装置の本来表示である案内表示中に、優先度の低い管理情報を、インターネット３２０を経由して受信した場合は、自動車が停止したとき、もしくは案内表示が終了したときに、受信した管理情報を表示する。よって、本来用途としての本来表示を妨げることなく、優先度の低い管理情報を表示することが可能なため、使用者の利便性を向上させることが可能である。
【０１２５】
なお、本発明は、その発明の範囲内において、各実施の形態を自由に組み合わせたり、各実施の形態を適宜、変形、省略することが可能である。
【符号の説明】
【０１２６】
１００，４００，５００  表示装置、１０１  制御部、１０２  ＲＯＭ、１０３  ＲＡＭ、１０４  優先度記憶部、１０５  操作入力受信部、１０６  操作入力装置、１０７，４０１  アンテナ、１０８  アンテナ信号、１０９  チューナー部、１１０  信号復調部、１１１  優先度取得部、１１２  トランスポートストリームデコーダ部、１１３  ストリーム蓄積部、１１４  ストリーム制御部、１１５  ＡＶデコーダ部、１１６  ＣＭ区間検出部、１１７  グラフィックス重畳部、１１８  効果音重畳部、１１９  映像制御部、１２０  音声制御部、１２１  表示部、１２２  音声出力部、１２４  受信部、１２５  管理ネットワーク、１２６  ＨＥＭＳ対応機器、２１２  緊急警報表示、２１４  管理情報表示、３０１  放送局、３０２  放送波、３０４，３０５  住宅、３１０  広域ネットワーク、３１７  ホームネットワーク、３２０  インターネット、４０３  ＲＦトランシーバ部、４０４  アプリケーションプロセッサ、４０９  音声入力部、４１１  音声入力受信部、４１２  操作入力部。
【図１】
2014123872.tif 000003
【図２】
2014123872.tif 000004
【図３】
2014123872.tif 000005
【図４】
2014123872.tif 000006